(57)【特許請求の範囲】
【請求項１】
被見守り者宅のコンセントと電気製品の電源プラグとの間に設置される複数のコンセントアダプタから前記電気製品のオン／オフ情報を、前記コンセントアダプタを識別する情報とともに受信する手段と、
前記複数のコンセントアダプタと前記コンセントアダプタに接続される前記電気製品とを関連付けて登録するアダプタ登録テーブルと、
前記アダプタ登録テーブルに登録された前記電気製品のオン／オフ情報の組合せに基づき、見守り者の端末に通知するために設定された通知条件を記憶する通知条件設定テーブルと、
前記複数のコンセントアダプタが検出した前記電気製品のオン／オフ情報の組合せが、前記通知条件を満たすか否かを判定する通知条件判定部と、
前記通知条件が満たされたと判定された場合に、前記見守り者の端末に、前記判定の結果の通知を送信する通知送信部と、
前記見守り者が前記コンセントアダプタと、前記電気製品と、前記電気製品の設置場所とを関連付けるためのアダプタ設定画面を、前記見守り者端末に表示させるアダプタ登録部と、
を有することを特徴とする生活見守りサーバ。
【請求項２】
前記アダプタ設定画面は、ＧＵＩインターフェースを備えることを特徴とする請求項１に記載の生活見守りサーバ。
【請求項３】
前記アダプタ登録テーブルは、前記コンセントアダプタごとに、前記通知条件の判定に使用するか否か指定する情報を含むことを特徴とする請求項１又は２に記載の生活見守りサーバ。
【請求項４】
前記通知条件設定テーブルは、前記オン／オフ情報を検知する電気製品の組合せを、通知条件として複数登録させることを特徴とする請求項１から3までのいずれか1項に記載の生活見守りサーバ。
【請求項５】
前記通知条件判定部は、前記コンセントアダプタに接続された電気製品の所定時間内のオン／オフ情報の組合せから、前記被見守り者の外出及び帰宅を判定することを特徴とする請求項１から４までのいずれか一項に記載の生活見守りサーバ。
【請求項６】
被見守り者宅のコンセントと電気製品の電源プラグとの間に設置される複数のコンセントアダプタから前記電気製品のオン／オフ情報を、前記コンセントアダプタを識別する情報とともに受信するステップと、
前記複数のコンセントアダプタと前記コンセントアダプタに接続される前記電気製品とを関連付けてアダプタ登録テーブルに登録するステップと、
前記アダプタ登録テーブルに登録された前記電気製品のオン／オフ情報の組合せに基づき、見守り者の端末に通知するために設定された通知条件を通知条件設定テーブルに記録するステップと、
前記複数のコンセントアダプタが検出した前記電気製品のオン／オフ情報の組合せが、前記通知条件を満たすか否かを判定するステップと、
前記通知条件が満たされたと判定された場合に、前記見守り者の端末に、前記判定の結果の通知を送信するステップと、
前記登録するステップにおいて、前記見守り者が前記コンセントアダプタと、前記電気製品と、前記電気製品の設置場所とを関連付けるためのアダプタ設定画面を、前記見守り者端末に表示させるステップと、
をコンピュータが実行することを特徴とする生活見守り方法。
【発明の詳細な説明】
【技術分野】
【０００１】
本発明は、高齢者や身障者の生活を見守る生活見守りサーバ及び生活見守り方法に関する。
【背景技術】
【０００２】
従来から、一人暮らしの高齢者や身障者等の生活を見守るための生活見守りシステムや監視システムが多数知られている。
【０００３】
例えば、特許文献１には、以下のような生活モニターシステムが開示されている。家庭用電気製品ごとに、製品操作状況検出部を設け、家庭用電気製品の操作状況を検出する。システムの集中管理部は、各製品操作状況検出部からの出力信号を受信して記憶することにより各電気製品の操作状況を管理する。また、システムの生活モニター部は、集中管理部からの出力信号を受信して生活状況を監視する。
【０００４】
また、特許文献２には、様々な情報通信端末や電気製品を使って、被監視者が監視されているという不快感を軽減し、シンプルで安価で、操作性が良く、温かみのあるシステムを実現することを目的とした生活見守りシステムが記載されている。
【０００５】
また、特許文献３には、現在使用中の電気製品およびプラグを改造することなく、安価なテーブルタップのみで一人暮しの老人等の異常事態の発生を検知する監視システムが開示されている。
【先行技術文献】
【特許文献】
【０００６】
【特許文献１】特開平１０−２４８０９３号公報
【特許文献２】特開２００５−１９６８１２号公報
【特許文献３】特開２００１−２３６５８２号公報
【発明の概要】
【発明が解決しようとする課題】
【０００７】
上記の特許文献に記載のシステムは、家庭内の電気製品の使用状況をモニターすることによって、一人暮らしの高齢者や身障者の生活や電気製品の異常を監視するものである。しかしながら、特許文献１に記載の技術では、各電気製品ごとに製品操作状況判断部を備えている必要があり、その機能を備えた電気製品に買い替える必要がある。また、特許文献２には、高齢者等の生活を見守るために利用できる可能性のある情報通信端末や電気製品が羅列されているだけで、そのような機能を備えた電気製品に買い替える必要があるのは、特許文献１に記載の技術と同じである。
【０００８】
特許文献３は、上記のような問題を解決するものであるが、電気製品が接続されるテーブルタップに、ＰＨＳ通信機能や電力使用量が普段と異なることを検出する判断部を備える必要があるため、このような高機能なテーブルタップを家庭内の様々な場所に設置されている電気製品に対していくつも用意するのは現実的には困難である。
【０００９】
したがって、本発明では、上記のような課題に鑑み、電気製品を買い替える必要がなく、しかも家庭内の様々な電気製品に適用が可能で、かつ被見守り者の生活パターンの変更にも柔軟に対応できる生活見守りシステムを提供することを目的とする。
【課題を解決するための手段】
【００１０】
上記課題を解決するため、本発明の生活見守りサーバは、以下のような解決手段を提供する。
【００１１】
被見守り者宅のコンセントと電気製品の電源プラグとの間に設置される複数のコンセントアダプタから前記電気製品のオン／オフ情報を、前記コンセントアダプタを識別する情報とともに受信する手段と、前記複数のコンセントアダプタと前記コンセントアダプタに接続される前記電気製品とを関連付けて登録するアダプタ登録テーブルと、前記アダプタ登録テーブルに登録された前記電気製品のオン／オフ情報の組合せに基づき、見守り者の端末に通知するために設定された通知条件を記憶する通知条件設定テーブルと、前記複数のコンセントアダプタが検出した前記電気製品のオン／オフ情報の組合せが、前記通知条件を満たすか否かを判定する通知条件判定部と、前記通知条件が満たされたと判定された場合に、前記見守り者の端末に、前記判定の結果の通知を送信する通知送信部と、前記見守り者が前記コンセントアダプタと、前記電気製品と、前記電気製品の設置場所とを関連付けるためのアダプタ設定画面を、前記見守り者端末に表示させるアダプタ登録部と、を有することを特徴とする。
【００１２】
また、上記サーバにおいて、前記アダプタ設定画面は、ＧＵＩインターフェ−スを備えるように構成してもよい。
【００１３】
また、上記サーバにおいて、前記アダプタ登録テーブルは、前記コンセントアダプタごとに、前記通知条件の判定に使用するか否か指定する情報を含むように構成してもよい。
【００１４】
また、上記サーバにおいて、前記通知条件設定テーブルは、前記オン／オフ情報を検知する電気製品の組合せを、通知条件として複数登録させるように構成してもよい。
【００１５】
また、上記サーバにおいて、前記通知条件判定部は、前記コンセントアダプタに接続された電気製品の所定時間内のオン／オフ情報の組合せから、前記被見守り者の外出及び帰宅を判定するように構成してもよい。
【００１６】
また、上記サーバの発明は、以下のような生活見守り方法の発明と捉えることもできる。
被見守り者宅のコンセントと電気製品の電源プラグとの間に設置される複数のコンセントアダプタから前記電気製品のオン／オフ情報を、前記コンセントアダプタを識別する情報とともに受信するステップと、前記複数のコンセントアダプタと前記コンセントアダプタに接続される前記電気製品とを関連付けてアダプタ登録テーブルに登録するステップと、前記アダプタ登録テーブルに登録された前記電気製品のオン／オフ情報の組合せに基づき、見守り者の端末に通知するために設定された通知条件を通知条件設定テーブルに記録するステップと、前記複数のコンセントアダプタが検出した前記電気製品のオン／オフ情報の組合せが、前記通知条件を満たすか否かを判定するステップと、前記通知条件が満たされたと判定された場合に、前記見守り者の端末に、前記判定の結果の通知を送信するステップと、前記登録するステップにおいて、前記見守り者が前記コンセントアダプタと、前記電気製品と、前記電気製品の設置場所とを関連付けるためのアダプタ設定画面を、前記見守り者端末に表示させるステップと、をコンピュータが実行することを特徴する。
【発明の効果】
【００１７】
本発明によれば、電気製品を買い替える必要がなく、家庭内の様々な電気製品に適用が可能で、かつ被見守り者の生活パターンの変更にも柔軟に対応できる生活見守りシステムを提供することができる。
【図面の簡単な説明】
【００１８】
【図１】本発明の実施形態に係る生活見守りシステムの基本概念を示す図である。
【図２】本発明の実施形態に係る生活見守りシステムの機能構成の一例を示す図である。
【図３】本発明の実施形態に係るアダプタ情報データベースに格納されるアダプタ登録テーブル及びアダプタ状態テーブルの具体例を示す図である。
【図４】本発明の実施形態に係るアダプタ情報データベースに格納される通知条件設定テーブルの具体例を示す図である。
【図５】本発明の実施形態に係る見守りサービス登録画面（１）の具体例を示す図である。
【図６】本発明の実施形態に係る見守りサービス登録画面（２）の具体例を示す図である。
【図７】本発明の実施形態に係る見守りサービス登録画面（３）の具体例を示す図である。
【図８】本発明の実施形態に係る見守りサービス通知画面の一例を示す図である。
【発明を実施するための形態】
【００１９】
以下、添付図面を参照して、本発明を実施するための形態（以下、実施形態）について詳細に説明する。以降の図においては、実施形態の説明の全体を通して同じ要素には同じ番号または符号を付している。また、機能構成の図において、機能ブロック間の矢印は、データの流れ方向、又は処理の流れ方向を表す。
【００２０】
（基本概念）
図１は、本発明の実施形態に係る生活見守りシステム（以下、本システムと呼ぶ）の基本概念を示す図である。本システムでは、一人暮らしの高齢者や身障者等の自宅にある電気製品と、壁のコンセントとの間に、コンセントアダプタ（以下、単にアダプタと呼ぶ）を複数設置する。アダプタには、接続された電気製品のオン／オフを検知する手段が埋め込まれており、その電気製品のオン／オフの情報が、宅内の通信制御装置を介して、外部のサーバに通知されるようになっている。アダプタと通信制御装置との屋内の通信手段は、電力線搬送通信（ＰＬＣ：Power  Line  Communication)を利用するのが好ましいが、Ｗｉ−Ｆｉ（登録商標）等、他の通信手段を用いてもよい。
【００２１】
サーバのデータベースには、被見守り者（図の例では、ハナさんとゲンさん）ごとに、それぞれの自宅の複数のアダプタに接続された複数の電気製品と、それらの電気製品のオン／オフの検出情報に基づき、予め見守り者側で設定された通知条件に従い、登録された見守り者の端末（通知先）に通知するためのテーブルが格納されている。ここで、アダプタに接続される電気製品には、特別の仕組みは必要としない。
【００２２】
上記の通知条件は、見守り者（家族やヘルパー等）によって予めサーバに登録しておくものとし、被見守り者の生活パターンや季節の変動等によって簡単に変更が可能なものとなっている。例えば、被見守り者が「ハナさん」の場合、「電子レンジ若しくは炊飯器が１２時間以上オフ、又はエアコンが４８時間以上つけっ放し」であることがサーバによって検知されると、異常を知らせる通知が自動的に見守り者の端末に送信されるように設定されている。ハナさんが、毎日、電子レンジや炊飯器を使って食事を作ることを日課にしていることを見守り者が知っているので、電子レンジと炊飯器が共に１２時間以上オフになっているときは、何らかの変化がハナさんに起きているのではないかと推察される。また、ハナさんは、夏場でもエアコンを消して寝る習慣があると分かっていれば、エアコンが４８時間以上つけっ放しであるときは、何らかの通常とは異なる事態がハナさんに起きていると推察される。もっとも、猛暑日等では、エアコンをつけっ放しで寝ることも十分あり得るので、これだけでは異常と判断することはできない。
【００２３】
したがって、異常がないかどうか又は通常と異なった状態にないかどうかの判定に使用される電気製品、すなわち、アダプタは、複数（少なくとも３個以上）であることが望ましい。アダプタ自体は安価なものなので、行政機関等がアダプタを被見守り者宅にいくつか配っておくことも考えられる。もちろん、配られたアダプタをすべて使用する必要はなく、アダプタは、被見守り者の生活の見守りの判定に役立つような電気製品にのみ接続すればよい。
【００２４】
見守りの判定に役立つような電気製品としては、上記のような電子レンジ、炊飯器、エアコン以外にも多数考えられ、電気ポット、テレビ、冷蔵庫、電子レンジなどの情報家電が既に知られているが、いずれも電気製品自らが異常事態又は通常とは異なる状態（以下、異常事態等）であるか否かを判定するようになっている。一方、本システムでは、アダプタとサーバにより異常事態等を検出しているので、たとえ被見守り者の生活パターンが変わっても各電気製品の設定を変える必要はない。
【００２５】
生活の見守りの判定に役立つ電気製品は、人それぞれ様々であるため、また、季節、地域等によっても異なるため、上記のような電気製品にそのような判定を一律に任せるのは好ましくなく、見守り者によって、臨機応変に設定できることが重要である。例えば、図の例の「ゲンさん」は、古風な人であって、陶芸家でもあり、エアコンや電子レンジのような電気製品はほとんど使わない人物であるが、ウォシュレット（登録商標）や、仕事のため、電動の轆轤（以下、ロクロ）だけは使うことが分かっている。そのような場合、本システムでは、ロクロのような特殊なものでも生活を見守ることに役立たせることが可能である。また、ゲンさんは、几帳面で、使わない電気製品をコンセントにつなぎっ放しにしない性格で、例えば、夏は扇風機、冬はコタツを同じ部屋のコンセントに繋ぎかえて使用するような性格である。しかし、そのような場合であっても、本システムを用いれば、通知条件を変えるだけなので、柔軟に対応できる。
【００２６】
（機能構成）
図２は、本発明の実施形態に係る生活見守りシステムの機能構成の一例を示す図である。被見守り者宅に設置されるアダプタ２０は、ここでは１つのみ図示しているが、実際には、複数（３〜１０個程度）のアダプタ２０設置される。アダプタ２０には、電気製品の電源プラグを差し込むための１又は複数のコンセント受け口２１（２１Ａ，２１Ｂ等）と、それぞれのコンセント受け口に流れる電流量を検出する電流量検出部２２（２２Ａ，２２Ｂ等）と、壁側のコンセントに差し込みコンセント差し込み口２３とを有している。
【００２７】
電流量検出部２２は、対応するコンセント受け口２１に接続された電気製品への電流がオン状態かオフ状態かを検出する電流計である。ここで、オフ状態とは、必ずしも流れる電流がゼロであるものではなく、所定の基準値（閾値）以下の微弱な電流が流れている場合もオフ状態であると判断する。電源スイッチが入れられた際の起動時間を短縮するため、「電源オフ時」にもスタンバイ用の電流を流し続けている電気製品も多いからである。この微弱電流の所定の基準値は、電気製品によりまちまちであるため、電源がオフであると判断する基準値が異なるアダプタを複数用意しておいてもよい。
【００２８】
電流量検出部２２は、電気製品のオン／オフ検出手段であり、検出した電気製品のオン／オフの信号は、検出された時刻と共に壁側のコンセントを経由して、電力線を通じ、ＰＬＣ通信制御装置３０に送られる。ＰＬＣは、電力線を通信回線として利用する通信技術であり、電力線通信、電力線搬送通信、電灯線通信、ＰＬＴ(Power  Line  Telecommunication)とも呼ばれる。ＰＬＣは、公知の技術なのでここでは説明を省略するが、ＰＬＣの代わりに、Ｗｉ−Ｆｉ（登録商標）等の他の通信手段を用いてもよいのは既に述べたとおりである。なお、アダプタ２０は、省エネのためのオプションとして、接続された電気製品が消費した電力量を計測して出力する機能を備えていてもよい。
【００２９】
アダプタ２０が検出した電気製品のオン／オフ情報は、アダプタごとに（接続された電気製品ごとに）、インターネット等の公衆通信網や介護施設等内の専用回線のネットワークを介して、最終的には、サーバ４０（生活見守りサーバとも呼ぶことにする）に送信される。サーバ４０の機能構成は、一例としては図示するように、アダプタ登録部４１と、アダプタ情報ＤＢ４２と、受信部４３と、通知条件判定部４４と、通知送信部４５とで構成される。
【００３０】
アダプタ登録部４１は、アダプタ２０ごとに（正確にはアダプタのコンセント受け口２１ごとに）、固有の識別子（アダプタＩＤ）が付与されており、アダプタ２０に接続された電気製品の識別子の代わりとして用いられる。ただし、アダプタ２０には、接続されている電気製品の種類を識別する機能はないので、どのアダプタ２０にどの電気製品が接続（関連付け）されているかは、見守り者側で管理する必要がある。
【００３１】
アダプタ登録部４１は、このアダプタ２０と電気製品とを関連付ける機能と、通知条件を設定する機能とを有する。通知条件とは、アダプタ２０に関連付られた電気製品のオン／オフ情報の記録により、見守り者宅の異常事態等を判定し、見守り者側の端末（以下、見守り者端末５０）に通知するための条件を定めたものである。通知条件は、見守り者側で自由に設定できるが、その詳細については後述する。
【００３２】
アダプタ情報ＤＢ４２は、アダプタＩＤごとに、接続した電気製品を登録した情報を保持するアダプタ登録テーブル４２ａと、アダプタが検出した電気製品のオン／オフ情報を検出時刻と共に記憶したアダプタ状態テーブル４２ｂとを格納している。また、アダプタ情報ＤＢ４２には、アダプタ登録部４１によって、見守り者が設定した通知条件を保持する通知条件設定テーブル４２ｃも格納する。これらのテーブルについては後述の図３、図４のテーブルで説明する。また、通知条件の設定方法の具体例については、後述の画面例の図５、図６、図７で説明する。
【００３３】
受信部４３は、複数のアダプタ２０から、被見守り者宅のＰＬＣ通信制御装置３０を介して、それぞれのアダプタ２０に接続された電気製品のオン／オフ情報をアダプタＩＤとともに受信する手段として機能する。
【００３４】
通知条件判定部４４は、設定された通知条件を満たすか否かを判定し、通知条件が満たされたと判定した場合に、見守り者端末５０に判定結果に応じたメッセージを生成する機能を有する。また、通知送信部４５は、通知条件判定部４４が判定の結果、生成したメッセージを、見守り者端末５０に実際に送信する機能を有する。このときの通知の具体例については、後述の画面例の図８で説明する。
【００３５】
図３は、本発明の実施形態に係るアダプタ情報ＤＢ４２に格納されるアダプタ登録テーブル４２ａ及びアダプタ状態テーブル４２ｂの具体例を示す図である。アダプタ登録テーブル４２ａは、アダプタと電気製品を関連付けるためのテーブルである。図の例では、アダプタ１には、ウォシュレットが、アダプタ２には扇風機が、アダプタ３にはロクロが関連付けられている。また、アダプタ登録テーブル４２ａには、設定日（関連付けた日）とそのアダプタを通知条件に使用しているかどうかの情報が記憶されている。設定日は、所定の期間過ぎたアダプタは、定期的に接続状態を見直すようなメッセージを見守り者側に通知するために用いられる。
【００３６】
アダプタ状態テーブル４２ｂは、毎日、各アダプタの電気製品がオンになった時刻、ＯＦＦになった時刻、ＯＮ時間が記録されるテーブルであり、アダプタごとに、電源オン／オフの組ごとに記録される。ＴＯＴＡＬ  ＯＮ時間（又はＴＯＴＡＬ  ＯＦＦ時間）は、一日の合計のＯＮ時間（又はＯＦＦ時間）が記録され、通知条件の判定に用いられる。ＴＯＴＡＬ  ＯＦＦ時間が長期間オフのままのアダプタは、電気製品が接続されていない可能性があるため、見守り者側に定期的に見直すようにメッセージを送信するためにも用いられる。
【００３７】
図４は、本発明の実施形態に係るアダプタ情報ＤＢ４２に格納される通知条件設定テーブル４２ｃの具体例を示す図である。図示するように、通知条件設定テーブル４２ｃには、被見守り者ごとに検出対象電気製品、通知先、通知条件が格納される。検出対象電気製品とは、アダプタに接続され、前図のアダプタ登録テーブル４２ａの「通知条件に使用」欄が「Ｙｅｓ」に指定されている電気製品のことである。アダプタに接続しただけでは、検出対象電気製品とはならない。通知先には、見守り者の連絡先（電話番号、メールアドレス等）が格納される。通知条件は、検出対象電気製品の電源オンの時間又は電源オフの時間からなる条件式が格納される。例えば、ハナさんの通知条件、「（(1)ON + (2)ON）=0hr/24hr + (3)ON ≧ 48hr」は、電子レンジ又は炊飯器がオンの時間が２４時間の間でゼロ、又はエアコンが４８時間以上連続してオンの場合に、通知が送信されることが示されている。通知条件の入力方法については後述する。
【００３８】
このようにして、図３、図４のテーブルをサーバ４０に保持することにより、アダプタと電気製品の関連付け、アダプタの状態の監視、検出対象の電気製品の選択、及び見守り者への通知条件を柔軟に設定することができる。
【００３９】
上記の本システムの機能構成は、あくまで一例であり、一つの機能ブロック（データベース及び機能処理部）を分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  Only  Memory）、フラッシュメモリ、ＳＳＤ(Solid  State  Drive)、ハードディスク等の記憶装置に格納されたコンピュータ・プログラムを読み出し、ＣＰＵにより実行されたコンピュータ・プログラムによって実現される。すなわち、各機能処理部は、このコンピュータ・プログラムが、記憶装置に格納されたデータベース（ＤＢ;Data  Baseやメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００４０】
（画面例）
図５は、本発明の実施形態に係る見守りサービス登録画面の設定確認画面の一例を示す図である。以下の説明では、見守り者端末５０に、本システム用の専用アプリケーションがインストールされていることを前提とする。以下では、本システムが提供するサービスを見守りサービスと呼ぶこととする。
【００４１】
図示する設定確認画面１００は、見守り者による設定が終了した後の設定を確認するときの設定確認画面である。この例では、ゲンさん宅において、アダプタＩＤ１、アダプタＩＤ３、アダプタＩＤ４に接続された電気製品が検出対象家電製品に設定されており、アダプタＩＤ１にはトイレのウォシュレット、アダプタＩＤ３には作業部屋のロクロ、アダプタＩＤ４には居間の扇風機が接続されていることが設定されている。また、アダプタの設置場所も図５のように事前に登録しておくとよい。
【００４２】
図示するように、前図の通知条件設定テーブル４２ｃの通知条件の条件式は、自然言語に変換され、設定確認画面１００では、通知条件１０５として、「ウォシュレットの動作回数が１０回／日以上、又はロクロが４８時間以上オフ」と表示されている。また、通知条件は、複数登録することができる、この例では、別の通知条件である通知条件１０６として、「扇風機の動作回数が０回３日」が登録されている。この通知条件１０６は、夏場でないと使えないので、冬場用にさらに通知条件１０７（「コタツが４８時間以上オン」）が用意されている。几帳面のゲンさんは、居間の同じコンセントに、扇風機とコタツを夏場と冬場で切り替えてつなぐ習慣があるものとしている。ただし、現在は、季節によらず使用できる通知条件１０５をアクティブ（網掛けで示す）にしていることを示している。このようにして、通知条件を複数登録しておくことで、季節、天候、地域等や被見守り者の生活習慣に応じて、最適な通知条件をワンタッチで切り替えることができる。
【００４３】
続いて、図６は、見守りサービス登録画面のアダプタ設定画面の一例を示す図である。アダプタ設定画面１１０は、アダプタと、アダプタに接続される電気製品と、その電気製品の設置場所とを関連付けるための画面である。電気製品関連付テーブル１１１には、コンセントに設置されたすべてのアダプタに対して、設置場所と接続電気製品を登録する。図示するように、一般的な電気製品アイコン一覧１１２が、一般家電、季節家電、健康家電のように分類され、タイプごとに表示されている。
【００４４】
設定者は、この電気製品アイコン一覧１１２から実際に使用されている電気製品のアイコンを選び、そのアイコンを電気製品関連付テーブル１１１にドラッグアンドドロップするだけで、アダプタと電気製品との関連付けを行うことができる。図の例では、トイレのコンセントに設置されたアダプタＩＤ１に、ウォシュレットを関連付けている様子を示している。ただし、電動のロクロのような特殊な電気製品は、電気製品関連付テーブル１１１の接続電気製品欄に設定者が文字で入力するものとする。この入力には、キー入力の他、音声入力を用いてもよい。
【００４５】
また、アダプタと設置場所との関連付けも設置場所アイコン一覧１１３を電気製品関連付テーブル１１１にドラッグアンドドロップすることで容易に行うことができる。このようにＧＵＩ（Graphical  User  Interface)インターフェ−スを備えた操作画面とすることで、アダプタと、アダプタに接続される電気製品と、設置場所と、を容易に関連付けることができる。
【００４６】
さらに続いて、図７は、見守りサービス登録画面の通知条件設定画面の一例を示す図である。図示する通知条件設定画面１２０は、前図のアダプタ設定画面１１０の設定後に、見守り者に通知する判断を行うための通知条件を設定する画面である。この画面では、先に設定した電気製品関連付テーブル１１１が表示される。ただし、ここではアダプタに関連付けられた接続電気製品には、便宜上、かっこ付の番号を付している。
【００４７】
図右側の通知条件設定領域１２１には、図示するように通知条件が簡単に入力できるようになっている。ここで入力された通知条件は符号化され、図４の通知条件に示したような条件式に変換されて記憶される。
【００４８】
図８は、見守りサービス通知画面の一例を示す図である。図示する見守りサービス通知画面２００は、見守り者側に送信された通知内容を表示する画面である。既に述べたように、サーバ４０の通知条件判定部４４は、アダプタ状態テーブル４２ｂに記録されたアダプタの状態が、通知条件設定テーブル４２ｃの通知条件に設定された条件を満たしていると判断したときに、通知送信部４５を介して通知内容を見守り者端末５０に送信する。図の例では、２つの通知条件が同時期に満たされたことを示している。この通知は、文字情報で見守り者端末５０に表示されるだけでなく、登録された電話番号に音声で送信されるようにしてもよい。また、この画面から直ちに被見守り者宅に電話をかけられるボタン（図中の電話アイコン）を設けてもよい。
【００４９】
なお、上記の説明では、被見守り者宅の異常事態等を監視し、見守り者側に通知することを主目的としたが、異常ではないが、被見守り者の外出、帰宅を監視することもできる。例えば、外出の際には通常オフし、帰宅時にはオンとするような電気製品（アダプタ）の組合せをサーバに登録しておき、その通知条件を別途設定すれば、被見守り者の外出、帰宅を容易に通知することができる。
【００５０】
このような目的に適した電気製品は、部屋の照明、テレビ、エアコン、扇風機、洗濯機等が考えられる。部屋の照明は、外出を検出できる有力な手段であるが、部屋の照明のコンセントは、天井に埋め込まれていることも多い。そのため、アダプタの取り付けには工事を必要とするが、本システムによれば、他の電気製品のオン／オフ情報の組合せで、被見守り者が外出したこと、帰宅したことを検出できる。例えば、就寝時刻を除き、所定時間内（一定の短時間の間）に、テレビ若しくはラジオのスイッチを切り、さらに、エアコン若しくは扇風機又は電気コタツ若しくは電気ストーブのスイッチを切った場合には、外出した可能性が高いと判断することができる。帰宅の場合はその逆である。携帯電話やスマートフォンの充電器や、被見守り者が女性であれば、ヘアドライヤやヘアカーラ等も外出時の検出に利用できる。このような外出、帰宅の通知は、毎回行わなくともよく、一定期間の間の外出と帰宅日時だけをまとめて通知するようにしてもよい。このようにすることで、被見守り者の生活パターンをより多くの情報で把握することができる。
【００５１】
（実施形態の効果）
本発明の実施形態によれば、電気製品を買い替える必要がなく、しかも様々な電気製品に適用が可能で、かつ被見守り者の生活パターンの変更にも柔軟に対応できる生活見守りシステムを提供することができる。ＰＬＣやＷｉ−Ｆｉ（登録商標）の通信手段が設置されていれば、家庭内の各部屋のコンセントに複数のアダプタを設置し、検出対象となる電気製品をそれらのアダプタに接続するだけでよい。アダプタと、電気製品と、設置場所との関連付けを容易にするＧＵＩインターフェースを備えた専用アプリも提供される。また、異常事態等を検出して通知するための通知条件を見守り者側が、柔軟に設定、変更することができる。また、見守るべき生活パターンには、外出、帰宅の日時も含めることができる。
【００５２】
以上、実施形態を用いて本発明を説明したが、本発明の技術的範囲は上記実施形態に記載の範囲に限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。なお、上記の実施形態では、本発明を物の発明として生活見守りシステムについて説明したが、本発明は、方法の発明（生活見守り方法）としても捉えることもできる。
【符号の説明】
【００５３】
１０Ａ，１０Ｂ  電気製品
２０  アダプタ（コンセントアダプタ）
２１Ａ，２１Ｂ  コンセント受け口
２２Ａ，２２Ｂ  電流量検出部
２３  コンセント差し込み口
３０  ＰＬＣ通信制御装置（電力線搬送通信制御装置）
４０  サーバ（生活見守りサーバ）
４１  アダプタ登録部
４２  アダプタ情報ＤＢ
４２ａ  アダプタ登録テーブル
４２ｂ  アダプタ状態テーブル
４２ｃ  通知条件設定テーブル
４３  受信部
４４  通知条件判定部
４５  通知送信部
５０  見守り者端末
１００  設定確認画面
１１０  アダプタ設定画面
１１１  電気製品関連付テーブル
１１２  電気製品アイコン一覧
１１３  設置場所アイコン一覧
１２０  通知条件設定画面
１２１  通知条件設定領域
２００  見守りサービス通知画面
【図１】
0005975547.tif 000002
【図２】
0005975547.tif 000003
【図３】
0005975547.tif 000004
【図４】
0005975547.tif 000005
【図５】
0005975547.tif 000006
【図６】
0005975547.tif 000007
【図７】
0005975547.tif 000008
【図８】
0005975547.tif 000009